(57)【要約】  単一フルートを画定するヘッド（４２）を有する外科用バー（３０）。フルートは、切刃（４６）および対向する凹縁（５４）を備えるすくい面を有している。切刃は、バーのシャフト（３２）の軸（３４）から凹縁よりもさらに離間している。すくい面は、典型的には、平面である。
2017523871.tif 000002
【特許請求の範囲】
【請求項１】
互いに対向する近位端および遠位端を有する細長シャフト（３２）であって、前記シャフトを近位−遠位方向に貫通する長軸（３４）と、外科用ハンドピースが前記シャフトを回転させるための前記ハンドピースへの前記シャフトの連結を容易にする、前記シャフトの前記近位端に隣接する幾何学的特徴部（３６）と、を有する、細長シャフト（３２）と、
前記シャフトの前記遠位端に取り付けられたヘッド（４２，４２ａ，４２ｂ，４２ｃ，４２ｄ，４２ｅ）であって、切刃を画定するすくい面（４４，４４ａ，４４ｃ，４４ｄ，４４ｅ）を有するように形作られた少なくとも１つの切断フルートを有する、ヘッド（４２，４２ａ，４２ｂ，４２ｃ，４２ｄ，４２ｅ）と、
を備える、医療／外科処置を行なうためのバー（３０）であって、
前記ヘッド（４２，４２ａ，４２ｂ，４２ｃ，４２ｄ，４２ｅ）は、単一フルートを画定するように形作られており、前記フルートすくい面（４４，４４ａ，４４ｃ，４４ｄ，４４ｅ）は、互いに対向する長手方向側辺を有しており、一方の側辺は、前記切刃（４６，４６ａ，４６ｂ，４６ｃ，４６ｄ）によって画定されており、対向する側辺は、凹縁（５４，５４ａ，５４ｄ）によって画定されており、前記ヘッドは、前記シャフト長軸（３４）の延長線（６２）と直交する少なくとも１つの面において、前記切刃（４６）が前記シャフト長軸の前記延長線から第１の距離を隔てて位置し、前記凹縁が前記シャフト長軸の前記延長線から第２の距離を隔てて位置し、前記第２の距離は、前記第１の距離よりも小さくなる、ようにさらに形作られていることを特徴とする、バー（３０）。
【請求項２】
前記切刃（４６，４６ａ，４６ｂ，４６ｃ）を画定する前記すくい面（４４，４４ａ，４４ｂ，４４ｃ）の少なくとも一部は、平面である、請求項１に記載のバー（３０）。
【請求項３】
前記切刃と前記凹縁との間に延在する前記すくい面（４４，４４ａ）の少なくとも一区域は、平面であり、前記シャフトを通る前記長軸と交差する面内または該長軸と平行の面内にある、請求項１または２に記載のバー（３０）。
【請求項４】
前記すくい面（４４，４４ａ，４４ｃ）の大半は、前記フルートの前記切刃（４６，４６ａ，４６ｂ）と前記凹縁との間で平面である、請求項３に記載のバー（３０）。
【請求項５】
前記ヘッドは、前記すくい面（４４，４４ａ，４４ｃ，４４ｄ，４４ｅ）と対向するクリアランス面（５０，５０ａ）を有するように、さらに形成されている、請求項１〜３のいずれか１つに記載のバー（３０）。
【請求項６】
前記ヘッドは、
逃げ面（４８，４８ａ，４８ｂ，４８ｃ，４８ｄ）が前記すくい面から延在し、前記すくい面と前記逃げ面との交線が、前記フルートの切刃を画定し、
前記クリアランス面（５０，５０ａ）は、前記すくい面から離間した前記逃げ面の端から前記凹縁に向かって延在する、ようにさらに形成されている、請求項５に記載のバー（３０）。
【請求項７】
前記クリアランス面（５０）の少なくとも一部は、前記すくい面の対向する部分と平行である、請求項５または６に記載のバー（３０）。
【請求項８】
前記クリアランス面の大半は、前記すくい面と平行である、請求項７に記載のバー（３０）。
【請求項９】
凹面（５２、５２ｃ，５２ｄ）が前記逃げ面から離れる方に延在しており、前記すくい面と前記凹面との交線が前記フルートの前記切刃を画定しており、
前記クリアランス面（５０，５０ｃ，５０ｄ）は、前記すくい面から離間した前記凹面の端から前記逃げ面に向かって延在している、
請求項５，６，７，または８のいずれか１つに記載のバー。
【請求項１０】
少なくとも１つのリブ（９０）が前記バーヘッド（４２ｋ）の前記凹面から外方に延在しており、前記少なくとも１つのリブは、前記シャフト長軸（３４）の前記延長線（６２）から外方に、前記切刃（４６）が前記延長線から外方に延在する距離と等しいかまたはそれよりも短い距離にわたって、延在している、請求項９に記載のバー。
【請求項１１】
前記クリアランス面（５０ａ）は、前記すくい面と前記クリアランス面との交線が凹縁（５４ａ）を形成するように，前記切刃（４６ａ）から離間した前記すくい面の端に向かって延在している、請求項５，６，または７のいずれか１つに記載のバー。
【請求項１２】
前記ヘッド（４２ｃ）は、前記すくい面（４４ｃ）および前記クリアランス面（５０ｃ）が前記シャフト長軸（３４）の前記延長線（６２）の両側に位置するように、前記シャフト（３２）上に配置されている、請求項５，６，７，８，９，１０または１１のいずれか１つに記載のバー。
【請求項１３】
前記ヘッド（４２，４２ａ，４２ｂ）は、前記シャフトの前記シャフト長軸（３４）の延長線（６２）が前記すくい面（４４，４４ａ）に沿って延在するように、前記シャフトに対して配置されている、請求項１〜１１のいずれか１つに記載のバー。
【請求項１４】
前記ヘッド（４２，４２ａ，４２ｃ，４２ｄ，４２ｅ）は、前記切刃（４６，４６ａ，４６ｃ，４６ｄ，４６ｅ）および前記凹縁（５４，５４ａ，５４ｄ）が前記シャフト長軸（３４）の前記延長線（６２）の両側に位置するように、さらに形成されている、請求項１〜１３のいずれか１つに記載のバー。
【請求項１５】
前記ヘッド（４２ｄ）は、すくい面（４４ｄ）が凹状輪郭を有すると共に対向する面（５０ｄ）が凸状輪郭を有するような凹凸輪郭を有している、請求項１，５，９，１０，１１，１２，１３，または１４のいずれか１つに記載のバー（３０）。
【請求項１６】
前記ヘッド（４２，４２ａ，４２ｂ，４２ｃ，４２ｄ，４２ｅ）の全長に沿って、前記切刃（４６，４６ａ，４６ｂ，４６ｃ，４６ｄ，４６ｅ）は、前記シャフトの前記長軸から前記凹縁（５４，５４ａ，５４ｂ，５４ｃ，５４ｄ，５４ｅ）よりもさらに離間している、請求項１〜１５のいずれか１つに記載のバー（３０）。
【請求項１７】
前記バーヘッドは、楕円状（４２，４２ｅ）、丸状（４２ｆ）、ドングリ状（４２ｇ）、梨状（４２ｈ）、パドル状（４２ｉ，４２ｋ）、または矢印状（４２ｊ）に形作られている、請求項１〜１６のいずれか１つに記載のバー。
【発明の詳細な説明】
【技術分野】
【０００１】
本発明は、一般的に、外科用バーに関する。さらに詳細には、本発明は、切断フルートを備えるヘッドを有するバーであって、切断フルートが該切断フルートから離れる方への切除された材料の流れを容易にするように設計されている、バーに関する。
【背景技術】
【０００２】
切断アクセサリは、外科処置を行なうために典型的には電動式外科用ハンドピースに取外し可能に取り付けられる器具である。外科処置を行なうために用いられる１つの切断アクセサリは、バーである。バーは、一般的に、多数のフルート（溝）を有するように形作られた剛性材料、典型的には、金属から形成されたヘッドを備えている。フルートは、切刃を画定するように形成されている。切刃を備えるフルートは、骨または軟骨のような組織を切除するように、形作られている。シャフトは、ヘッドから近位側に延在している。シャフトの近位端は、多くの場合、電動式ハンドピースへのシャフトの係止を容易にする特徴部を有している。ハンドピースの作動によって、バーが回転することになる。外科処置中に、バーのヘッドは、組織の断片が除去されることになる外科部位に配置される。回転する切刃が、外科部位から組織を切除することになる。整形外科手術、神経脊髄外科手術、耳鼻咽喉外科手術のような手術処置、おとび他の外科処置において、組織の断片を選択的に除去するために、種々の形状および寸法のバーが用いられている。
【０００３】
組織を除去する一般的な目的に対して、多くのバーは、良好に機能する。にもかかわらず、いくつかの処置において、バーは、組織を除去するための特に効率的な装置であると認められていない。例えば、場合によっては、バーを用いて、足首または手首のような小さい関節の周りの軟骨を除去することが困難なことがある。これは、軟骨が、他の種類の組織と比較して、多量の水を含んでいるからである。軟骨が組織から切除されたとき、該軟骨の水成分によって、該軟骨が切断装置に付着する。切断装置がバーのとき、軟骨は、フルートの表面に付着する傾向にある。また、組織が、互いに隣接するフルート間の空間内に堆積する。この切除された組織は、事実上フルートによって周りに押し出される破片塊になる。この破片塊の存在によって、組織をさらに切除する機能を果たす切断フルートの能力が低下する。さらに、破片塊は、未切除組織に対して必然的に押し付けられる。この静止物質に対する移動物質の接触によって、破片および未切除組織の摩擦熱が生じる。この加熱は、除去されることが意図されていない組織を損傷させる可能性がある。
【０００４】
バーによる軟骨の切除が効率的でないことを考慮し、多くの施術者は、この種の処置を行なうとき、この組織を除去するためにバー以外の外科用器具を用いる傾向にある。これらの器具は、手動操作型器具、例えば、キュレット、骨鉗子、および骨刀であることが多い。これらの器具は、軟骨のような軟質組織を除去するのに有用である。しかし、これらの器具が手動操作されることを考慮すれば、これらの器具は、バーのような電動式工具を用いるよりも非効率的である。
【発明の概要】
【０００５】
本発明は、新規の有用な外科用バーに向けられている、この効率的なバーは、組織を除去するために用いられる器具に付着する傾向のある組織を効率的に除去するのに特に適している。
【０００６】
本発明のバーは、細長シャフトを備えている。長軸がシャフトを遠位−近位方向に貫通している。シャフトは、該シャフトを長軸を中心として回転させることができる電動式ハンドピースへの該シャフトの離脱可能な連結を容易にする特徴部を有している。シャフトの遠位端から、ヘッドが前方に延在している。ヘッドは、互いに対向する２つの面、具体的には、すくい面およびクリアランス面を有している。ヘッドは、該ヘッドを近位−遠位方向に貫通してすくい面とクリアランス面との間に位置する長軸を有している。
【０００７】
すくい面は、該すくい面の互いに対向する側辺において、ヘッドに沿って長手方向に延在する２つの互いに対向する縁を少なくとも部分的に形成している。これらの面の１つは、切刃であり、対向する縁は、凹縁である。本発明のいくつかの態様では、バーは、すくい面によって画定される切刃がシャフトの長軸から凹縁が同一軸から離間する距離よりもさらに半径方向外方に離間するように、形成されている。
【０００８】
本発明のいくつかの態様では、すくい面およびクリアランス面は、互いに離間している。本発明のこれらの態様では、ヘッドの一方の側辺において、逃げ面がすくい面とクリアランス面との間に延在している。ヘッドの他方の側辺において、凹面がクリアランス面とすくい面との間に延在している。すくい面と逃げ面との交線は、切刃を画定している。凹面とすくい面との交線は、凹縁を画定している。
【０００９】
本発明の前述のいくつかの副次的な態様では、すくい面およびクリアランス面は、互いに平行である。
【００１０】
本発明のいくつかの態様では、バーは、シャフトを通る長軸およびヘッドを通る長軸が同一直線上に位置しないように、さらに形成されている。本発明のこの態様のいくつかの副次的な態様では、ヘッドは、すくい面がシャフトの長軸が延在する面内に位置するように、シャフトに対してさらに配置されている。本発明のこの後者の態様のいくつかの副次的な態様では、フルートの切刃およびクリアランス縁は、シャフトの長軸に対して等距離となるように互いに離間している。
【００１１】
本発明は請求項において詳細に指摘されている。本発明の上記のおよびさらなる特徴ならびに利点は、添付の図面と併せて以下の詳細な説明を読むことによって、良好に理解されるであろう。
【図面の簡単な説明】
【００１２】
【図１】本発明によって構成されたバーの斜視図である。
【図２】すくい面が見えている、図１のバーの平面図である。
【図３】バーのクリアランス面が見えている、図１のバーの斜視図である。
【図４】逃げ面およびクリアランス面が見えている、図１のバーの平面図である。
【図５】バーヘッドの遠位端から近位側を見た、図１のバーの平面図である。
【図６Ａ−６Ｅ】バーヘッドが組織に対して横方向に押圧されたときの組織に対して回転する本発明のバーの切刃の結果を示す一連の図である。
【図７】バーが長手方向に前進して組織の表面から内方に延在する孔を形成するときの本発明のバーを示す部分断面図である。
【図８】バーヘッドの遠位端から近位側を見た、本発明の第１の代替的バーの平面図である。
【図９】バーヘッドの遠位端から近位側を見た、本発明の第２の代替的バーの平面図である。
【図１０】バーヘッドの遠位端から近位側を見た、本発明の第３の代替的バーの平面図である。
【図１１】バーヘッドの遠位端から近位側を見た、本発明の第４の代替的バーの平面図である。
【図１２】本発明の第５の代替的バーの平面図である。
【図１３Ａ−１３Ｆ】本発明のバーのヘッドに対して可能な代替的形状の平面図である。
【発明を実施するための形態】
【００１３】
図１に示されているように、本発明によって構成された外科用バー３０は、細長の略円筒状シャフト３２を備えている。シャフト３２の遠位端から、ヘッド４２が前方に延在している。（ここで、「遠位側」は、バー３０が取り付けられているハンドピースを保持する施術者からヘッド４２が適用される部位に向う側を意味すると理解されたい。「近位側」は、バーヘッド４２が適用される部位から施術者に向かう側を意味すると理解されたい。）シャフト３２は、図２において破線３４によって表されている長軸を有している。
【００１４】
連結特徴部３６が、シャフト３２の近位端２４に設けられている。連結特徴部３６は、バー３０が用いられる（図示されない）電動式外科用ハンドピースまたは工具の回転シャフトと一体の連結アセンブリに対するバー３０の取外し可能な係合を容易にする幾何学的特徴部である。図示されている連結特徴部３６は、外側円筒シャフトに対して凹んでいる表面である。これらの表面は、「多目的外科用工具システム」と題する米国特許第５，８８８，２００号に記載されている。この文献は、参照することによって、ここに含まれるものとする。代替的な連結特徴部が、米国特許出願公開第２０１０／００６３５２４Ａ１号（国際出願公開第２０１０／０２８９００１Ａ２号）に開示されている。この文献の内容も、参照することによって、ここに明示的に含まれるものとする。連結特徴部のための他の代替的な幾何学的形状が、「外科用ハンドピースに選択的に連結されるように設計された、外科用ハンドピース用切断取付具」と題する米国特許第６，５６２，０５５号に示されている。この文献の内容は、参照することによって、ここに明示的に含まれるものとする。これらの連結特徴部の幾何学的形状は、例示的なものであり、制限的なものではないことを理解されたい。連結特徴部３６の幾何学的形状は、本発明を制限することを意図していない。例えば、平滑な壁を有するシャフト３２自体の一部が、ハンドピースの連結アセンブリの一部であるチャック顎部によってハンドピースに保持されるように、単純に寸法決めされていてもよい。
【００１５】
シャフト３２の遠位側前方において、バーヘッド４２は、図２〜図５にそれぞれ示されている互いに平行に対向するすくい面４４およびクリアランス面５０を有している。ヘッド４２の一方の側辺において、逃げ面４８がすくい面４４とクリアランス面５０との間に延在している。すくい面４４と逃げ面４８との間の縁が、ヘッド４２の切刃４６である。本発明の多くの態様において、ヘッド４２は、逃げ面が切刃４６から離れる方に進むにつれてシャフト長軸３４から延在する線に向かって内方に延出するように、すくい面４４と逃げ面４８との間の角度が定められるように、形成されている。図５において、この軸３４の延長線は、図面の手前側から奥側に延在しており、点６２によって表されている。
【００１６】
バーヘッド４２は、逃げ面４８の反対側において、凹面５２がすくい面４４とクリアランス面５０との間に延在するように、さらに形成されている。すくい面４４と凹面５２が交差する縁は、凹縁５４と呼ばれている。逃げ面の近位−遠位長手方向に延在する側辺は、一方の側辺における切刃４６から対向する側辺における凹縁５４に延在している。バーヘッド４２は、切刃４６および凹縁５４がシャフト長軸３４から延在する線を中心として対称的に配置されないように、さらに形成されている。代わって、バーヘッド４２は、シャフト長軸３４の延長線と直交する面内において、切刃４６が軸３４の延長線から凹縁５４よりもさらに距離を隔てて離間するように、形作られている。図１〜図５に示されている本発明の態様では、バーヘッド４２は、切刃４６および凹縁５２がシャフト長軸３４の延長線の両側に位置するように、形成されている。
【００１７】
ネック３８は、シャフト３２とヘッド４２との間のバー３０の移行区域である。ネック３８は、遠位側前方に向かって内方に湾曲する（部番が付されていない）２つの対向面を有している。これらの面の１つは、すくい面４４を画定するように内方に湾曲している。対向するネック面は、バーヘッドのクリアランス面５０を画定するように内方に湾曲している。ネックは、凸状の（部番が付されていない）２つの対向側面を有している。各側面は、上記の対向面間に延在している。ネックがシャフト３２から前方に進むにつれて、ネック側面は、シャフト３２から外方に湾曲している。
【００１８】
バーヘッド４４は、逃げ面４８、従って、切刃４６がネック３８から遠位側に進むにつれてシャフト長軸の延長線からいくらか外方に湾曲するように、形成されている。バーヘッドの近位−遠位長さに沿った略１／２の位置において、逃げ面４８は、シャフト長軸３４の延長線に向かって内方に湾曲し始めている。ヘッドの対向側辺において、凹面５２が、ネック３８から遠位側に延出するとき、最初、シャフト長軸３４の延長線に向かって内方に湾曲する。凹面のこの湾曲の結果として凹縁５４が内方に湾曲する箇所は、図２において、凹縁の区域５３と呼ばれている。ヘッドに沿った略１／６の長さの位置において、凹面５２は、外方に湾曲している。次いで、凹面５２は、クリアランス面が内方に湾曲するシャフトに沿った略同一の位置にいて、内方に湾曲している。バーヘッドの頂部に隣接する箇所において、クリアランス面および凹面の両方の曲率半径は、減少している。逃げ面４８および凹面５２は、バーヘッド４２の遠位先端において交差している。面４８,５２が交差する位置は、バー３０の最遠位端でもある。
【００１９】
本発明のバー３０は、従来のバーを使用するために準備するのと同じ方法によって使用の準備が整えられる。バー３０は、該バーをシャフト３２を貫通する長軸を中心として回転させることができる（図示されない）ハンドピースに連結される。この連結を容易にするために、ハンドピースと一体のチャックの連結部材がバーシャフト３２の連結特徴部３６に係合するようになっている。バーは、ハンドピースと一体のモータを回転させることによって、作動される。これによって、シャフト長軸を中心とするバーの回転が生じることになる。図６Ａ〜図６Ｅにおいて、この回転は、図６Ａにおいて矢印５８によって表されている反時計方向として示されている。図６Ａ〜図６Ｅの処置において、バーヘッドは、バーシャフトの長軸の側に対して略横方向に前進するようになっている。
【００２０】
バー３０が用いられるとき、除去されるべき組織にヘッド４２が押圧される。バーヘッドが組織に押圧されたとき、図６Ａに示されているように、組織を実際に押圧するのは、すくい面４４および切刃４６である。切刃４６およびすくい面４４は、該切刃およびすくい面が押圧される組織を剪断し、除去する。除去された組織は、破片６８になり、該破片は、図６Ｂに示されているように、すくい面の前方に位置し、該すくい面と共に回転することになる。バーヘッドの連続する回転によって、組織が連続的に除去され、必然的に破片の量が増大する。本発明では、すくい面４４の平面性によって、切刃４６を画定するすくい面４４の一部から離れた比較的妨げられない破片経路が生じている。実際には、２つの流路が生じている。これらの流路のうち、第１の流路は、回転流路である。回転流路は、切除されている組織の外面に向かい、次いで、該外面から離れる方に向う流路である。この流路は、図６Ｃにおいて矢印６４によって表されている。第２の流路は、すくい面４４の平面に沿って長手方向に向う流路である。図６Ｃにおいて、これは、図面の奥側に向う流路、すなわち、バーシャフト３２に向かう流路である。２つの破片流路の存在によって、切刃４６に隣接する破片の堆積およびこのような堆積の望ましくない影響が低減されることになる。
【００２１】
バー回転の次の過程において、切刃は、図６Ｄおよび図６Ｅにおいて連続的に示されているように、除去されている組織の表面から離れる方に回転する。同時に、凹縁５４および凹面５２が組織の表面に向かって回転する。しかし、図６Ｅに示されているように、回転軸、すなわち、シャフト長軸に対する凹縁５４および切刃４６の相対的な位置によって、凹縁５４は、組織に衝突しない。図面において、この間隙は、説明の目的のために拡大されている。代わって、最初に、凹面５２、続いて、凹縁５４が、組織の上方を回転する。従って、バーヘッドのこの部分が組織に向かって回転するとき、バーヘッド４２のこの部分は、組織に衝突する凹縁の機械的衝撃、すなわち、機械的抵抗に晒されない。この衝撃がなくなることによって、この衝撃がバーヘッドの望ましくない前後振動を誘発する程度が同様に低下することになる。
【００２２】
さらに、本発明のバーは、図７に示されているように、場合によっては、空洞７０のような孔を開けるために用いられてもよいことを理解されたい。この種の処置では、バーヘッドをシャフトの長軸に沿って長手方向に、少なくとも略遠位側に向かって前進させることになる。組織は、この空洞を完全に包囲することなく、具体的には、少なくとも１８０°を画定する円弧に沿って空洞を包囲するものであってもよい。この種の処置では、図６Ａ〜図６Ｅに示されているような切除された破片を残余組織から排除することができる大きな側開口は、存在していなくてもよいし、または実質的にその大きさが小さくなっていてもよい。このような場合であっても、破片は、バーシャフトに向う長手方向流路に沿って本質的に妨げられずに流れることができる。
【００２３】
本発明のバー３０は、該バーの望ましくない振動を促進させる機械的衝撃にバーヘッド４２を晒す可能性を最小限に抑えながら、従来バーに付着する傾向のある組織を除去するのに有用な工具である。
【００２４】
本発明の切刃の周りの破片の減少は、これらの破片が切断効率を低下させる程度および組織の望ましくない加熱をより低減させると考えられる。切刃から離れる方への破片の迅速な排出は、（もし破片が存在していたなら）それらの破片が切刃の長さに沿って組織を円滑に剪断して除去する切刃の能力を低下させる程度を、減少させると考えられる。組織に対するバーの比較的真っ直ぐな線に沿って組織を除去する切刃の能力のこの増大によって、バーによって切除される孔のなめらかさが増大する。このなめらかさは、孔の直径の一貫性および切断の後に残る組織の表面の不規則さの最小化の両方を意味すると理解されたい。
【００２５】
本発明のバーのさらなる特徴は、バーヘッド４２の遠位端から近位側に進むにつれて、逃げ面４８および凹面５２の両方が外方に湾曲することにある。本発明のバーのこの特徴によって、バーをドリルとして用いることが可能である。換言すれば、このバーは、シャフト長軸の延長線に沿って組織の表面から内面に延在する孔または空洞を形成するのに用いることができる。すなわち、本発明のバー３０を用いて、バーを側方に、具体的には、シャフト長軸から半径方向外方に押圧することによって、組織を除去することができると共に、シャフト長軸に沿って直線状に押圧することによって、組織を除去することもできる。
【００２６】
上記の説明は、本発明のバーの１つの特定の態様に向けられている。本発明の代替的バーは、前述した特徴と異なる特徴を有していてもよい。
【００２７】
例えば、本発明の記載されている態様では、バーヘッド４２は、すくい面のすくい角が０°になるように形成されている。これは、バーヘッドが回転するとき、すくい面４４とすくい縁が回転する円の接線との間の角度が９０°であることを意味している。本発明の代替的態様では、バーヘッドは、すくい角が正または負のいずれかであるように形成されていてもよい。従って、本発明のこれらの態様では、すくい面４４は、該該面４４の全体に沿って完全に平面になっていなくてもよい。
【００２８】
本発明の記載されている態様では、すくい面４４およびクリアランス面５０は、バーヘッド４２の長さに沿って平行になっている。本発明のこの特徴は、バーヘッドに機械的強度をもたらすことになる。しかし、本発明の他の態様では、これらの面４４，５０は、必ずしも平行になっていなくてもよい。すなわち、本発明のいくつかの態様では、これらの面を横切る距離は、近位−遠位方向においてヘッドの遠位端の方に進むにつれて、減少していてもよい。本発明の他の態様では、これらの面の一方、典型的には、クリアランス面が、非平面形状を有していてもよい。典型的には、この面は、この面の平面部分が外方に突出する強化リブによって中断されることによって、非平面になっていてもよい。
【００２９】
また、本発明の記載されている態様では、切刃のシャフト長軸からの距離に対する凹縁５４の同一長軸からの距離の差は、バーヘッドの長さに沿って実質的に一定である。例えば、０．８ｃｍから１ｃｍの全長を有するバーヘッドの場合、この差は、典型的には、０．２ｍｍから０．５ｍｍの間にある。本発明の代替的な態様では、この差は、バーヘッド４２の長さに沿って一定でなくてもよい。すなわち、本発明のいくつかの態様では、この差は、変動していてもよい。さらに具体的には、この差は、切刃４６と長軸との間の距離と共に減少するようになっていてもよい。
【００３０】
また、バーヘッドの代替的な形状が可能である。図８は、凹面のない本発明のバーヘッド４２ａを示している。本発明のこの態様では、クリアランス面５０ａは、逃げ面４８ａから内方に進むにつれて、すくい面４４ａに向かって内方に傾斜している。逃げ面４８aの反対側のヘッドの端において、すくい面４４ａおよびクリアランス面５０ａが交差し、凹縁５４ａを画定している。
【００３１】
図９のバーヘッド４２ｂは、逃げ面４４ｂがシャフト３２の長軸を大きく越えて延在しないように、形成されている。バーヘッドは、概して、シャフト３２に対してこの位置まで延在するべきであることを理解されたい。これは、バーが回転したとき、バーの非対称負荷を最小限に抑えることが望ましいと考えられるからである。この非対称負荷を最小限に抑えることが望ましい１つの理由は、このような負荷がビビリを誘発することにある。ビビリは、バーの望ましくない前後振動である。これらの振動は、ある特定の回転周波数で生じる可能性がある。しかし、この設計上の制約は、必ずしも本発明の全ての態様に必要ではない。
【００３２】
図９は、凹面５２ｂが湾曲形状を有していることを示している。図示されていないが、すくい面も、同様に湾曲していてもよい
【００３３】
図１０は、本発明の全てのバーにおいて、すくい面４４ｃが必ずしもシャフト長軸が延在する面内に位置する必要がないことを示している。図１０のバーヘッド４２ｃは、すくい面４４ｃに湾曲４７が存在しないように、さらに形成されている。この湾曲は、凹縁５４ｃに隣接するすくい面４４ｃの区域に凹部を形成している。この凹部は、バーの使用中に生じる破片が流入する追加的な空洞として機能するものである。
【００３４】
図１１は、すくい面４４ｄおよびクリアランス面５０ｄの両方が湾曲輪郭を有していてもよいことを示している。本発明のこの態様では、バーヘッド４２ｄは、すくい面が凹面となるような凹凸輪郭を有している。本発明の他の態様では、クリアランス面のみが凹面であってもよい。
【００３５】
本発明の前述の態様では、バーヘッドは、中実である。本発明の代替的態様では、図１２に示されているように、バーヘッド４２ｅに１つまたは複数の開口７２が形成されている。１つの大きな開口７２が、図１２に示されている。１つまたは複数の開口は、すくい面からクリアランス面に延在している。この１つまたは複数の開口は、バーの使用によって生じた破片が流入するさらなる空洞をもたらすことになる。本発明のいくつかの態様では、この１つまたは複数の空洞の表面積は、バーヘッド４２の周辺内の全面積の５０％とすることができる。
【００３６】
同様に、このバーの用途は、比較的多量の水分を含む組織がバーに付着する場合に制限されるものではない。
【００３７】
さらに、本発明の代替的態様では、ネックは、前述した形状と異なる形状を有していてもよい。本発明のいくつかの態様では、バーはネックを有していなくてもよい。本発明のこれらの態様では、ヘッドは、シャフトから直接延出するようになっている。
【００３８】
図１３Ａ〜図１３Ｅは、本発明の全ての態様において、バーヘッドは、必ずしも図２および図１２におけるバーと同様の楕円形状を有する必要がないことを示している。図１３Ａは、丸ヘッド４２ｆを有する本発明のバーを示している。本発明のこの態様では、バーヘッド４２ｆは、略丸形状である。しかし、ヘッド４２ｆは、ヘッドの最遠位端に小さい先端７８を有するように、さらに形成されている。ヘッド４２ｆを有するバーは、先端７８がシャフト３２の長軸の延長線６２上に位置するように、さらに形成されている。ヘッド４２ｆを有するバーは、切刃４６ｆがシャフト延長線６２から凹縁５４ｆよりもさらに離間するように、さらに形成されている。
【００３９】
図１３Ｂは、ドングリ状ヘッド４２ｇを有する本発明のバーを示している。ドングリヘッド４２ｇは、先端８０の近位側において縁がバーの遠位部分を囲むように近位側後方に湾曲しているヘッドである。ヘッド４６ｇの遠位部分の近位側において、これらの縁は、直線状である。ドングリヘッドの図示されている態様では、これらの縁は、互いに平行である。ヘッド４２ｇを有するバーは、先端８０がシャフト延長線６２上に位置するように、設計されている。バーは、切刃４６ｇがシャフト延長線６２から凹縁５４ｇよりさらに離間するように、さらに形成されている。
【００４０】
図１３Ｃは、本発明の梨状ヘッド４２ｈを有するバーを示している。従って、ヘッド４２ｈは、凸状の遠位区域を有している。遠位区域の近位側において、ヘッド４２ｈの互いに対向する縁４６ｈ，５４ｈは、直線状であり、互いに向かって内方に傾斜している。本発明のこの態様では、ヘッド４２ｈの（識別番号８２が付されている）最遠位点は、シャフト延長線６２からいくらか切刃４６ｈの方に離間している。切刃４６ｈは、シャフト延長線６２から凹縁５４ｈよりもさらに離間している。
【００４１】
図１３Ｄは、本発明のバーがパドル状ヘッド４２ｉを有していてもよいことを示している。ヘッド４２ｉは、本発明の図２および図１１のバーの楕円状ヘッドと同様である。ヘッド４２ｉは、バーの遠位端においてヘッドの遠位縁８４がシャフト延長線６２と直交している点において、異なっている。また、ヘッド４２ｉは、切刃４６ｉおよび凹縁５４ｉが互いに平行であると共にシャフト延長線６２に対しても平行であるように、さらに形作られている。切刃４６ｉは、シャフト延長線６２から凹縁５４ｉよりもさらに離間している。
【００４２】
矢印状になっている本発明のヘッド４２ｊが、図１３Ｅに示されている。ヘッド１３ｊは、先端８６を有している。互いに対向する切刃４６ｊおよび凹縁５４ｊが、それぞれ、先端８６から近位側に向かってかつ外方に向かって直線状に延在している。従って、ヘッド４２ｊを有するバーは、先端８６がシャフト延長線からいくらか切刃４６ｊの方に離間するように、形作られている。本発明のこの態様では、縁４６ｊ、５４ｊは、（先端８６を通る）ヘッドの軸を中心として対称的であり、シャフト延長線６２に対して平行になっている。従って、本発明のこの態様では、切刃４６ｊは、シャフト延長線６２から凹縁５４ｊよりもさらに離間している。
【００４３】
図１３Ｆは、図１３Ｄのバーの代替的態様である。バーヘッド４２ｋは、パドル状である。切刃４６ｋは、シャフト延長線６２から対向する凹縁５４ｊよりもさらに離間している。バーヘッド４２ｋは、凹面から外方に突出する互いに離間した複数のリブ９０を有するように、さらに形成されている（凹面は、図１３Ｄにおいて見えていない）。各リブ９０は、リブの遠位側および近位側の凹面区域から外方に延在している。バーヘッド４２ｋは、リブ９０が、対向する切刃４６ｋがシャフト延長線６２から外方に延在する距離と等しいかまたはそれよりも短い距離にわたって、同一延長線から外方に延在するように、形作られている。バーの回転中、リブ９０は、凹面および凹縁を、バーヘッド４２ｋのこれらの部分がバーヘッドが押圧される組織に衝突しないように、離れて保持することになる。凹面および凹縁５４ｋが（リブ９０が存在する箇所を除けば）組織から離間しているので、バーヘッドのこれらの部分と隣接する未切除組織との間に隙間空間が存在することになる。この空間は、新たに切除された組織が隣接する未切除組織から押し出されるときに通る空洞として機能する。
【００４４】
さらに、バーヘッド４２ｋが組織に対して押圧されるとき、切刃４６ｋおよびリブ９０は、異なる抵抗力を受ける。これらの力が等しくないので、バーヘッドがこれらの力を繰り返し受けることによって、これらの力の付与がバーヘッドの望ましくないバービビリを誘発する程度が低減されると考えられる。
【００４５】
本発明のバーは、ヘッドが代替的な幾何学的形状を有するように、さらに形成されていてもよい。代替的な幾何学的形状は、前述のヘッド形状の１つまたは複数の特徴を備えるものであってもよい。例えば、本発明の矢印状ヘッドを有する代替的バーは、ヘッドの先端がシャフト延長線上にあるように、設計されていてもよい。本発明のこれらの態様では、ヘッドの互いに対向する切刃および凹縁は、先端を通る軸に対して対称でなくてもよい。代わって、切刃とヘッドの平面に沿ったシャフト延長線６２の部分との間の鋭角が、凹縁とシャフト延長線との間の対向する鋭角よりも大きくなっていてもよい。
【００４６】
凹縁をバーヘッドが押圧される組織から離れて保持する１つまたは複数のリブは、パドル状ヘッドを有するバー以外の本発明のバーに組み入れられてもよい。
【００４７】
前述の寸法および形状は、本発明の理解を容易にするために示されている。従って、請求項に別段の定めがない限り、これらの寸法および形状は、本発明を制限すると解釈されるべきではない。例えば、バーヘッドのすくい面およびクリアランス面が互いに平行である本発明の態様では、これらの面は、バーヘッドの全体に沿って平行でなくてもよい。これらの面が、バーヘッドの長さの大半未満、具体的には、５０．１％未満の長さに沿って平行であることも、本発明の範囲内にある。
【００４８】
さらに、前述した態様の全ての特徴は、必ずしも本発明の全ての態様に存在していなくてもよい。例えば、本発明のバーは、すくい面を有する単一フルートであって、切刃から延在するすくい面の少なくとも一部が平面状である、単一フルートを有するように構成されていてもよい。本発明のこれらの態様では、切刃および凹面は、シャフトを通る長軸の延長線から等距離で離間していてもよい。本発明の多くの構成では、バーヘッドは、シャフト長軸の延長線がヘッドを貫通しないように、位置決めされると見なされている。従って、本発明のこれらの構成では、バーヘッドは、シャフト長軸の延長線がすくい面に沿って延在するか、またはバーヘッドの全体の延長線がすくい面から横方向に離間するように、配置されている。
【００４９】
従って、添付の請求項の目的は、このような変更形態および修正形態の全てが本発明の真の精神および範囲内にあることを含むことにある。
【図１】
2017523871.tif 000003
【図２】
2017523871.tif 000004
【図３】
2017523871.tif 000005
【図４】
2017523871.tif 000006
【図５】
2017523871.tif 000007
【図６Ａ】
2017523871.tif 000008
【図６Ｂ】
2017523871.tif 000009
【図６Ｃ】
2017523871.tif 000010
【図６Ｄ】
2017523871.tif 000011
【図６Ｅ】
2017523871.tif 000012
【図７】
2017523871.tif 000013
【図８】
2017523871.tif 000014
【図９】
2017523871.tif 000015
【図１０】
2017523871.tif 000016
【図１１】
2017523871.tif 000017
【図１２】
2017523871.tif 000018
【図１３Ａ】
2017523871.tif 000019
【図１３Ｂ】
2017523871.tif 000020
【図１３Ｃ】
2017523871.tif 000021
【図１３Ｄ】
2017523871.tif 000022
【図１３Ｅ】
2017523871.tif 000023
【図１３Ｆ】
2017523871.tif 000024
【国際調査報告】
2017523871.tif 000025
2017523871.tif 000026